(57)【要約】【課題】  マンガでもなく、アニメでもないマンガーを得ること。【解決手段】  マンガ等原画を少なくし、また、枠内に描かず、スマホ、パッド、パソコン，テレビ等の機器の画面枠を枠にして前記マンガ等原画をデジタル化してこれに前記機器の機能を働かせるソフトを組込み、前記デジタル信号を移動拡大、発音着色、振動させることにより、大きな効果とコストダウンできるマンガー。【選択図】  図６
2015087840.tif 000002
【特許請求の範囲】
【請求項１】
マンガ等原画が少なくてもコマ枠が無くてもスマホ，パッド、パソコン，テレビ等機器画面の枠を枠として前期原画をデジタル信号に置き換え、この信号にスマホ等機械機能を作動させるソフトを加え、前記原画信号を左右，上下に移動，縮小・拡大させ、着色するソフトを加えて前記原画を前記機器枠内の画面で変化させ、吹き出しやナレーション，合戦，銃砲発射，叫び，走る音，擬音等の音声をソフトに録音し、前記機器で再生し得るようにし、前記機器連動ソフトで前記機器をバイブレートして、この振動を前記機器操者に伝え、臨場感を与えることを特徴とする制作物。
【発明の詳細な説明】
【技術分野】
【０００１】
本発明はマンガでもないアニメでもないマンガー（MANGAR・・・RはRevolution革命の意味）とその制作方法に関する。
【背景技術】
【０００２】
図１は公知のマンガである。従来のマンガは必ずフレーム１のコマがある。その中に内容２を描く。また、人が移動するのを表現するのにフレーム１と３を使い、人物２の位置もずらす。また、人２が声を出す場合はフレーム４に示す如く「吹き出し」５という手法を用い、囲いの中に文字を入れる。
【発明の概要】
【０００３】
公知のマンガは説明（ナレーション）２２はコマ枠内に文字で書く。又、爆発を示す場合は、フレーム６の如く爆発の絵７を描き、擬音２３をコマ内に書く。また、公知のアニメは図２の如く多数の画９をずらして描き、これ等を一枚一枚連続して撮影する。本発明マンガーはこれら繁雑な作業を除去して早くコストを安く制作するものである。
【発明が解決しようとする課題】
【０００４】
本発明はマンガでもなくアニメでもないマンガーの発明である。公知のマンガは四角の枠に多数の画を描く必要があり、アニメも多数の画を描く手間が大変でコストがかかる。また爆発も絵や文字で迫力がない。公知のアニメは多数の画を描くので手間とコストが高い。
本発明はこのような課題に鑑みてなされたものであって、且つスマホやパッドやPCやTVで使用出来、制作に時間がかからず、コストダウンし、臨場感を出すことができる制作物及び製作法を提供する。
【課題を解決するための手段】
【０００５】
本発明はマンガでもないアニメでもない発明である。本発明は、手間を少なくしコストダウンと効果向上のため、数少ない原画のみで多様な動きや効果を出し、スマホ，パッド、パソコン、テレビ等機器のデジタル画像で見る事が出来、前記画像と共に前記機器の機能を使い、画面を左右，上下に移動や、縮小・拡大させ、  吹き出しや爆発，ナレーション等を文字でなく音声として再生し得るようにし、合戦，銃砲発射、叫び，走る音等の擬音部分で上記機器をバイブレートし、スマホ等で見る者の手や身体に振動を伝え臨場感を与える。
【発明の効果】
【０００６】
本発明はスマホ等機器の機能とソフトで連動さすのでマンガ家の描く原画数が少なくてすみ、従って制作時間が短く、従ってコストダウンになり、一方画面から音声や擬音が出たり画が動いたり、拡大縮小したり、着色したり手や身体に振動を与えるので見る人に臨場感と感動を大幅に高めることができ、しかもスマホ等で見られるので世界中どこでも移動中でも見る事が出来る。
【図面の簡単な説明】
【０００７】
【図１】公知のマンガ
【図２】公知のアニメ
【図３】本発明の第１の実施例
【図４】本発明の第２の実施例
【図５】本発明の第３の実施例
【図６】本発明の第４の実施例
【発明を実施するための形態】
【０００８】
図３は本発明の第１の実施例を示す図である。図１と同様のものは、同一の
符号を付して示す。図において、コマ枠１を点線としたのは本発明の原画を描くときは、コマ枠１はなくてもよいことを示す。
【０００９】
内容２を動かす時は公知のマンガ（図１）の如く複数のコマを必要としない。本発明は１コマだけの原画でよい。
【００１０】
この原画をデジタル画像データに変換し、この信号をソフトウエアにより画像の全部又は一部の移動、回転、拡大・縮小をする。図３において、６の如く横方向へ原画２を移動することにより、一枚の原画２で横方向に画が移動したように見える。７は縦方向へ原画を移動させればジャンプさせられるし、８は１枚の原画２を拡大・縮小する事により遠くに走り去ったり、遠くから駆け寄ることを表現でき、一枚の原画でも多数枚の画を描いたのと同じ効果を得ることができる。９の如く、回転すれば原画をでんぐり返らせることも表現できる。
【００１１】
原画駆動のソフトについては、例えば原画を回転させる場合には、ソフトに所定の角度を入力し、この入力角度データを指定の回転角度だけ原画２が回転するように画像処理を行った画像信号を入れるか又はスマホ等機器の画像回転機能を命ずるソフトによりスマホ等機器の表示部に回転する図が表示される。
【００１２】
画像の拡大・縮小もソフトを用いて実現することができる。スマホやパッドやパソコンの拡大・縮小機能を用い、装置の拡大・縮小の範囲の画像を指定し、その指定の範囲と速度の拡大像又は縮小像を得ることができる。この拡大・縮小された画像はスマホの表示部に表示させることができる。
【００１３】
図４は本発明の第２の実施例を示す図である。この実施例では、スマホ１２画面に表示された内容２の図１に於ける吹き出しや説明（ナレーション）２２の文字を書かずにナレーターの声でスピーカー１０から発声１６するようにしたものである。これは人の声だけでなく「走る音」「波の音」などの「擬音」も録音し再生させる。
【００１４】
図５は本発明の第３の実施例を示し、公知のマンガでは図１のフレーム６の如くコマ枠６内に爆発の図７を描き、「ドドーン」という擬音の文字２３を書くだけなので迫力が感じられないが、本発明は図５に示す如く画面ソフトで爆発音だけでなくスマホ１２のバイブレーション機能を作動させて、スマホ全体を振動１３させ、スマホを保持する手に振動を伝え、それを身体や脳に伝わらせて、爆発を強く感じさせ臨場感を与える。
【００１５】
これは爆発だけでなく、地震、津波、戦争や足音、車の走り去る音等の振動を画に加え公知マンガでは表現できなかったことを本発明では表現することができる。また、図５に示す如く振動１３のみならず、画面も拡大１４し爆発煙が拡がること、爆発の元１５を赤に着色することにより、更に効果が増大出来る。
【００１６】
図６は本発明の制作過程の一例を示す。マンガ家によりコマ枠のない原画２を描かせ、これをデジタル信号に変え１７、ソフトで画像を水平移動、上下移動、回転、拡大・縮小したり１８、着色１９したり、音声を与え２０、振動を与え２１これ等の信号でスマホ等機器、機能、作動ソフト２４によりスマホ等機器１２を動作させ、画面２５の動き、音声２６、振動機能２７を駆動し、ページ送りソフト２８で次のページへ画面を送る。かくてスマホ等の枠に１２内の画面に表示し、極めて少ない原画のみで、多様な表現を行うことができ、コストダウンと製作期間の短縮と作品の感銘度を最大にすることができる。
【産業上の利用可能性】
【００１７】
本発明はマンガでもなくアニメでもない新しい制作法でスマホ機能と連動されるのでマンガ家が描く原画が少なくコストが安く、制作日数が短く、且つ作品の効果が大きく、スマホ、パッド、パソコン、テレビ等でも使用でき、インターネットで世界中に発信し、世界中の人が見ることができる拡販力があり、産業上の利用の可能性が極めて大きいものである。
【符号の説明】
【００１８】
1   
マンガのコマ枠
2   
マンガの原画
3   
マンガコマ枠
4   
マンガコマ枠
5   
マンガ吹き出し
6   
マンガコマ枠
7  マンガ爆発の図
8  画面の拡大・縮小の方向
9  アニメの作画
10スマホ等のスピーカー
1１  スマホ等からの音声
１２  スマホ，パッド、パソコン、テレビ等の画面の枠
１３  スマホ等機器のバイブレーション
１４  拡大する爆発画像
１５  着色された爆発画像
１６  スマホから出る音声や擬音
１７  原画をデジタル信号にするプロセス
１８  画面を水平移動、上下移動、回転、拡大・縮小などするプロセス
１９  着色する信号を入れるプロセス
２０  音声や擬音を録音するプロセス
２１  スマホ等機器を振動させる信号をソフトウエアに入れるプロセス
２２  説明（ナレーション）文字
２３  擬音文字
２４  スマホ等機器機能作動ソフト
２５  同上機器画面機能
２６  同上音声機能
２７  同上振動機能
２８  ページ送りソフト
【図１】
2015087840.tif 000003
【図２】
2015087840.tif 000004
【図３】
2015087840.tif 000005
【図４】
2015087840.tif 000006
【図５】
2015087840.tif 000007
【図６】
2015087840.tif 000008